(57)【要約】【課題】振込者が、１以上の各対象者に対し、当該対象者の１以上のイベントごとに的確な振り込みを行うことを支援する仕組みはなかった。【解決手段】振込処理装置は、対象者を識別する対象者識別子と対象者のイベントに関する１以上のイベント情報とを有する１以上の対象者情報が格納される対象者情報格納部と、イベント情報を特定するイベント特定情報と、振込者を識別する振込者識別子と、振り込みの対象者を識別する対象者識別子とを有する振込指示を受信する振込指示受信部と、振込指示が有する振込者識別子で識別される振込者の口座から、振込指示が有する対象者識別子で識別される対象者への口座に、振込指示に対応する金額情報が示す金額を振り込むための振込処理を行う振込処理部と、振込処理に応じて、振込指示が有するイベント特定情報により特定されるイベント情報に対応付けて、振込処理に関する振込情報を蓄積する振込情報蓄積部とを具備する。【選択図】図１
2019114063.tif 000002
【特許請求の範囲】
【請求項１】
対象者を識別する対象者識別子と当該対象者のイベントに関する１以上のイベント情報とを有する１以上の対象者情報が格納される対象者情報格納部と、
イベント情報を特定するイベント特定情報と、振込者を識別する振込者識別子と、振り込みの対象者を識別する対象者識別子とを有する振込指示を受信する振込指示受信部と、
前記振込指示が有する振込者識別子で識別される振込者の口座から、前記振込指示が有する対象者識別子で識別される対象者への口座に、前記振込指示に対応する金額情報が示す金額を振り込むための振込処理を行う振込処理部と、
前記振込処理に応じて、前記振込指示が有するイベント特定情報により特定されるイベント情報に対応付けて、前記振込処理に関する振込情報を蓄積する振込情報蓄積部とを具備する振込処理装置。
【請求項２】
振込者識別子と、当該振込者識別子により識別される振込者への連絡先を示す振込者連絡先情報と、当該振込者に関連する対象者を識別する１以上の対象者識別子とを有する１以上の振込者情報が格納される振込者情報格納部と、
前記振込者情報格納部の振込者情報が有する対象者識別子と対になるイベント情報に基づいて、対象者の口座に振り込むことを推奨する旨の推奨情報を取得する推奨情報取得部と、
前記振込者情報が有する振込者連絡先情報を用いて、前記推奨情報を振込者に通知する推奨情報通知部とをさらに具備する請求項１記載の振込処理装置。
【請求項３】
前記推奨情報取得部は、
１または２以上のイベント情報に基づいて、前記振込者に積み立てを行うことを推奨する旨の推奨情報を取得する請求項２記載の振込処理装置。
【請求項４】
前記推奨情報取得部は、
１または２以上のイベント情報に基づいて、積み立ての推奨金額を決定する推奨金額決定手段と、
前記推奨金額を示す推奨金額情報を有する推奨情報を取得する推奨情報取得手段とを具備する請求項３記載の振込処理装置。
【請求項５】
前記対象者情報は、
対象者への連絡先を示す対象者連絡先情報を有し、
前記振込指示が受信された場合に、前記対象者識別子と対になる対象者連絡先情報を用いて、対象者に振込処理が行われたこと、または振込処理が行われることを示す振込関連情報を通知する振込関連情報通知部とをさらに具備する請求項１記載の振込処理装置。
【請求項６】
対象者の対象者端末から振込結果情報に対する返答である返答情報を受信する返答情報受信部と、
前記振込者情報が有する振込者連絡先情報を用いて、前記返答情報を振込者に通知する返答情報通知部とをさらに具備する請求項５記載の振込処理装置。
【請求項７】
前記返答情報は、
撮影された写真も含み、
前記返答情報をイベント情報に対応付けて蓄積する返答情報蓄積部をさらに具備する請求項６記載の振込処理装置。
【請求項８】
前記振込処理部は、
前記返答情報受信部が返答情報を受信した後に振込処理を行う請求項６または請求項７記載の振込処理装置。
【請求項９】
対象者を識別する対象者識別子と当該対象者のイベントに関する１以上のイベント情報とを有する１以上の対象者情報が格納される対象者情報格納部、振込指示受信部、振込処理部、および情報蓄積部によって実現される振込処理方法であって、
前記振込指示受信部が、イベント情報を特定するイベント特定情報と、振込者を識別する振込者識別子と、振り込みの対象者を識別する対象者識別子とを有する振込指示を受信する振込指示受信ステップと、
前記振込処理部が、前記振込指示が有する振込者識別子で識別される振込者の口座から、前記振込指示が有する対象者識別子で識別される対象者への口座に、前記振込指示に対応する金額情報が示す金額を振り込むための振込処理を行う振込処理ステップと、
前記情報蓄積部が、前記振込処理に応じて、前記振込指示が有するイベント特定情報により特定されるイベント情報に対応付けて、前記振込処理に関する振込情報を蓄積する振込情報蓄積ステップとを含む振込処理方法。
【請求項１０】
コンピュータがアクセス可能な記録媒体は、
対象者を識別する対象者識別子と当該対象者のイベントに関する１以上のイベント情報とを有する１以上の対象者情報が格納される対象者情報格納部を具備し、
前記コンピュータを、
イベント情報を特定するイベント特定情報と、振込者を識別する振込者識別子と、振り込みの対象者を識別する対象者識別子とを有する振込指示を受信する振込指示受信部と、
前記振込指示が有する振込者識別子で識別される振込者の口座から、前記振込指示が有する対象者識別子で識別される対象者への口座に、前記振込指示に対応する金額情報が示す金額を振り込むための振込処理を行う振込処理部と、
前記振込処理に応じて、前記振込指示が有するイベント特定情報により特定されるイベント情報に対応付けて、前記振込処理に関する振込情報を蓄積する振込情報蓄積部として機能させるためのプログラム。
【発明の詳細な説明】
【技術分野】
【０００１】
本発明は、振り込みに関連する処理を行う振込処理装置等に関するものである。
【背景技術】
【０００２】
従来、例えば、複数の振込依頼を効率的かつ的確に行うための振込処理装置が存在した（例えば、特許文献１参照）。また、金融機関における振込にかかる処理を実施する振込処理システムにおいて、振込に関わる者の業務を効率化できるようにする技術も存在した（例えば、特許文献２参照）。
【先行技術文献】
【特許文献】
【０００３】
【特許文献１】特開２０１０−２７１８５９号公報
【特許文献２】特開２００９−１２３１７１号公報
【発明の概要】
【発明が解決しようとする課題】
【０００４】
しかし、従来、振込者（例えば、祖母）が、１以上の各対象者（例えば、孫）に対し、当該対象者の１以上のイベント（例えば、進学、誕生日、お正月等）ごとに的確な振り込み行うことを支援する仕組みはなかった。
【課題を解決するための手段】
【０００５】
本第一の発明の振込処理装置は、対象者を識別する対象者識別子と対象者のイベントに関する１以上のイベント情報とを有する１以上の対象者情報が格納される対象者情報格納部と、イベント情報を特定するイベント特定情報と、振込者を識別する振込者識別子と、振り込みの対象者を識別する対象者識別子とを有する振込指示を受信する振込指示受信部と、振込指示が有する振込者識別子で識別される振込者の口座から、振込指示が有する対象者識別子で識別される対象者への口座に、振込指示に対応する金額情報が示す金額を振り込むための振込処理を行う振込処理部と、振込処理に応じて、振込指示が有するイベント特定情報により特定されるイベント情報に対応付けて、振込処理に関する振込情報を蓄積する振込情報蓄積部とを具備する振込処理装置である。
【０００６】
かかる構成により、振込者が、１以上の各対象者に対し、当該対象者の１以上のイベントごとに的確な振り込みを行うことを支援する仕組みを提供できる。
【０００７】
また、本第二の発明の振込処理装置は、第一の発明に対して、振込者識別子と、振込者識別子により識別される振込者への連絡先を示す振込者連絡先情報と、振込者に関連する対象者を識別する１以上の対象者識別子とを有する１以上の振込者情報が格納される振込者情報格納部と、振込者情報格納部の振込者情報が有する対象者識別子と対になるイベント情報に基づいて、対象者の口座に振り込むことを推奨する旨の推奨情報を取得する推奨情報取得部と、振込者情報が有する振込者連絡先情報を用いて、推奨情報を振込者に通知する推奨情報通知部とをさらに具備する振込処理装置である。
【０００８】
かかる構成により、振込者に対し、１以上の各対象者の１以上のイベントごとに振り込みを推奨することで、振込者が的確に振り込みを行うことを支援できる。
【０００９】
また、本第三の発明の振込処理装置は、第二の発明に対して、推奨情報取得部は、１または２以上のイベント情報に基づいて、振込者に積み立てを行うことを推奨する旨の推奨情報を取得する振込処理装置である。
【００１０】
かかる構成により、振込者に対し、１以上の各対象者の１以上のイベントごとに積み立てを推奨することで、振込者が振り込みを無理なく行うことを支援できる。
【００１１】
また、本第四の発明の振込処理装置は、第三の発明に対して、推奨情報取得部は、１または２以上のイベント情報に基づいて、積み立ての推奨金額を決定する推奨金額決定手段と、推奨金額を示す推奨金額情報を有する推奨情報を取得する推奨情報取得手段とを具備する振込処理装置である。
【００１２】
かかる構成により、振込者に対し、１以上の各対象者の１以上のイベントごとに金額を決定し、当該金額の積み立てを推奨することで、振込者が当該金額の振り込みを無理なく行うことを支援できる。
【００１３】
また、本第五の発明の振込処理装置は、第一の発明に対して、対象者情報は、対象者への連絡先を示す対象者連絡先情報を有し、振込指示が受信された場合に、対象者識別子と対になる対象者連絡先情報を用いて、対象者に振込処理が行われたこと、または振込処理が行われることを示す振込関連情報を通知する振込関連情報通知部とをさらに具備する振込処理装置である。
【００１４】
かかる構成により、振込者からの振り込みを、対象者に知覚させることができる。
【００１５】
また、本第六の発明の振込処理装置は、第五の発明に対して、対象者の対象者端末から振込結果情報に対する返答である返答情報を受信する返答情報受信部と、振込者情報が有する振込者連絡先情報を用いて、返答情報を振込者に通知する返答情報通知部とをさらに具備する振込処理装置である。
【００１６】
かかる構成により、対象者が振り込みを知覚したことを、振込者に知らせることができる。
【００１７】
また、本第七の発明の振込処理装置は、第六の発明に対して、返答情報は、撮影された写真も含み、返答情報をイベント情報に対応付けて蓄積する返答情報蓄積部をさらに具備する振込処理装置である。
【００１８】
かかる構成により、振り込みを受けた対象者は、返答と併せて、例えば、その振り込みに対応するイベントの時期に撮影された写真を、振込者に見せることができる。
【００１９】
また、本第八の発明の振込処理装置は、第六または第七の発明に対して、振込処理部は、返答情報受信部が返答情報を受信した後に振込処理を行う振込処理装置である。
【００２０】
かかる構成により、返答がなければ、振り込みは行われないので、対象者から振込者への返答を促進することができる。
【発明の効果】
【００２１】
本発明によれば、振込者が、１以上の各対象者に対し、当該対象者の１以上のイベントごとに的確な振り込みを行うことを支援する仕組みを提供できる。
【図面の簡単な説明】
【００２２】
【図１】実施の形態における情報システムのブロック図
【図２】振込処理装置の動作例を説明するフローチャート
【図３】振込者端末の動作例を説明するフローチャート
【図４】対象者端末の動作例を説明するフローチャート
【図５】対象者情報のデータ構造図
【図６】振込者端末によって出力される画面の一例を示す図
【図７】対象者端末によって出力される画面の一例を示す図
【図８】振込者端末によって出力される画面の他の一例を示す図
【図９】別の振込者端末によって出力されるイベント一覧画面の一例を示す図
【図１０】コンピュータシステムの外観図
【図１１】コンピュータシステムの内部構成の一例を示す図
【発明を実施するための形態】
【００２３】
以下、振込処理装置等を含む情報システムの実施形態について図面を参照して説明する。なお、実施の形態において同じ符号を付した構成要素は同様の動作を行うので、再度の説明を省略する場合がある。
【００２４】
図１は、本実施の形態における情報システムのブロック図である。この情報システムは、振込処理装置１、振込者端末２、および１または２以上の対象者端末３を備える。振込者端末２および１以上の対象者端末３の各々は、例えば、ＬＡＮやインターネット等のネットワーク、無線または有線の通信回線などを介して、振込処理装置１と通信可能に接続される。
【００２５】
振込処理装置１は、例えば、振込者および１以上の対象者の各々の口座を管理する一の銀行のサーバであってもよいし、本情報システムを運営する企業のサーバまたはクラウドサーバ等であっても構わない。後者の場合、振込処理装置１は、例えば、ネットワーク等を介して、振込者または対象者の口座を管理する１また２以上の各銀行のサーバとも通信可能に接続されることは好適である。ただし、振込処理装置１のタイプや所在は問わない。
【００２６】
振込者端末２は、振込者の端末である。振込者とは、振り込みを行う者である。振込者は、例えば、祖母または祖父でもよいし、母または父、叔母または叔父などでもよく、振り込みを行い得る者であれば誰でもよい。振込者の端末とは、例えば、振込者が携帯する携帯端末であるが、振込者の自宅や職場等のＰＣなどでもよく、その所在やタイプは問わない。なお、携帯端末とは、例えば、スマートフォン、タブレット端末、携帯電話機等であるが、その種類は問わない。
【００２７】
対象者端末３は、対象者の端末である。対象者とは、振込者から振り込みを受ける者である。対象者は、例えば、孫、子、姪または甥などであるが、祖母等の振込者から振り込みを受け得る者であれば誰でもよい。また、対象者は、代理人でもよい。代理人とは、対象者の代わりに振り込みを受ける者である。代理人は、例えば、対象者が振込者の孫の場合は、その母親または父親等であるが、対象者の代わりに振り込みを受け得る者であれば誰でもよい。対象者の端末もまた、例えば、携帯端末であるが、ＰＣなどでもよく、その所在やタイプは問わない。
【００２８】
なお、本実施の形態では、振込者は、一人または２人以上である。また、情報システムを構成する振込者端末２の数は、１つまたは2以上である。また、例えば、振込処理装置１が、振込者端末２の機能をも有していてもよく、その場合、振込者端末２は、情報システムから省略されても構わない。
【００２９】
振込処理装置１は、格納部１１、受信部１２、処理部１３、および送信部１４を備える。格納部１１は、対象者情報格納部１１１、および振込者情報格納部１１２を備える。受信部１２は、振込指示受信部１２１、および返答情報受信部１２２を備える。処理部１３は、振込処理部１３１、振込情報蓄積部１３２、推奨情報取得部１３３、および返答情報蓄積部１３４を備える。推奨情報取得部１３３は、推奨金額決定手段１３３１、および推奨情報取得手段１３３２を備える。送信部１４は、推奨情報通知部１４１、振込関連情報通知部１４２、および返答情報通知部１４３を備える。
【００３０】
振込者端末２は、振込者格納部２１、振込者受信部２２、振込者出力部２３、振込者受付部２４、振込者送信部２５、および振込者処理部２６を備える。
【００３１】
対象者端末３は、対象者格納部３１、対象者受信部３２、対象者出力部３３、対象者受付部３４、対象者送信部３５、および対象者処理部３６を備える。
【００３２】
振込処理装置１を構成する格納部１１は、各種の情報を格納し得る。各種の情報とは、例えば、後述する対象者情報、および振込者情報などである。なお、その他の情報については、適時説明する。
【００３３】
対象者情報格納部１１１には、１または２以上の対象者情報が格納される。対象者情報とは、対象者に関する情報である。対象者情報は、通常、対象者識別子と、１または２以上のイベント情報とを有する。
【００３４】
対象者識別子とは、対象者を識別する情報である。対象者識別子は、例えば、氏名、ニックネーム、ＩＤなどであるが、端末識別子でもよく、対象者を識別し得る情報であれば何でもよい。端末識別子とは、対象者の端末を識別する情報である。端末識別子は、例えば、ＭＡＣアドレスやＩＰアドレス等であるが、ＩＤでもよく、対象者の端末を識別し得る情報であれば何でもよい。なお、対象者識別子は、例えば、後述する対象者連絡先情報と兼用でも構わない。
【００３５】
イベント情報とは、対象者のイベントに関する情報である。イベントとは、例えば、孫等の対象者が、その成長過程で遭遇する各種の事象のうち、祖母等の振込者からお祝い等の振り込みを受けるのに適した事象である。イベントは、例えば、進学、卒業、成人、誕生日、新年（お年玉）等であるが、その種類は問わない。
【００３６】
イベント情報は、例えば、種類情報または時期情報のうち１以上の情報を含んでもよい。種類情報とは、イベントの種類を示す情報である。種類情報は、例えば、“お年玉”，“進学”、“誕生日”等であるが、ＩＤでもよく、その種類や表現形式は問わない。時期情報とは、イベントの時期を示す情報である。時期情報は、例えば、年月日（年のみ、年および月のみの場合も含む）、年齢、学年、季節等であるが、時期を示し得る情報であれば何でもよい。なお、イベント情報は、具体的には、例えば、“お年玉，２０１８年１月１日”，“２０１８年春，小学校入学”、“誕生日，２０１７年１２月９日，１６歳”等である。または、イベント情報は、例えば、“お年玉，１月１日”や“こどもの日”のように、特定の年を示す時期情報を有さず、毎年同じ日に遭遇する事象の情報でもよい。あるいは、イベント情報は、例えば、“お年玉，１月１日”や“誕生日６月５日”等のように、特定の年を示す時期情報を有さず、毎年同じ日に遭遇する事象の情報でもよい。
【００３７】
また、対象者情報は、例えば、対象者連絡先情報をも有することは好適である。対象者連絡先情報とは、対象者への連絡先を示す情報である。対象者連絡先情報は、例えば、メールアドレス、電話番号などであるが、ウェブページのＵＲＬでもよく、対象者への連絡を可能にする情報であれば何でもよい。なお、対象者連絡先情報は、具体的には、例えば、“ＡＡ＠・・・ｎｅ．ｊｐ”や“０９０・・・”等であってもよい。
【００３８】
さらに、対象者情報は、例えば、撮影された写真も有していてもよい。写真は、通常、対象者情報が有する対象者識別子で識別される対象者を、例えば、カメラやスマートフォン等で撮影した写真である。なお、写真については後述する。また、写真は、後述する返答情報から取得されることは好適である。
【００３９】
なお、例えば、振込者の数が２人以上の場合、対象者情報格納部１１１には、後述する振込者識別子と、上記のような１以上の対象者情報との組が、２組以上、格納されてもよい。２組以上とは、例えば、振込者識別子“Ｘ”とイベント情報１〜３等（図５参照：後述）等との組、振込者識別子“Ｙ”とイベント情報４等（図示しない）との組などである。
【００４０】
振込者情報格納部１１２には、振込者情報が格納される。振込者情報とは、振込者に関する情報である。振込者情報は、例えば、振込者識別子と、振込者連絡先情報と、１または２以上の対象者識別子とを有する。
【００４１】
振込者識別子とは、振込者を識別する情報である。振込者識別子もまた、例えば、氏名、ニックネーム、ＩＤなどであるが、振込者の端末を識別する端末識別子でもよいし、振込者連絡先情報と兼用でも構わない。
【００４２】
振込者連絡先情報とは、振込者識別子により識別される振込者への連絡先を示す情報である。対象者連絡先情報もまた、例えば、メールアドレス、電話番号などであるが、ウェブページのＵＲＬでもよく、振込者への連絡を可能にする情報であれば何でもよい。
【００４３】
対象者情報が有する１以上の対象者識別子（以下では、対象者識別子群と記す場合がある）は、当該振込者に関連する１以上の各対象者を識別する情報の集合である。振込者に関連する対象者とは、通常、当該振込者（例えば、祖母）から振り込みを受ける者（例えば、孫）である。対象者識別子群は、例えば、１以上の氏名等の集合であるが、１以上のメールアドレス等の集合でも構わない。
【００４４】
なお、本実施の形態では、振込者情報格納部１１２には、通常、一の振込者情報のみが格納されるが、２以上の振込者情報が格納されてもよい。
【００４５】
受信部１２は、各種の情報を受信する。各種の情報とは、例えば、後述する振込指示、および後述する返答情報などである。
【００４６】
なお、受信部１２は、例えば、振込者端末２からイベント一覧出力指示を受信してもよい。イベント一覧出力指示とは、イベント一覧画面を出力する指示である。イベント一覧画面とは、一の振込者に対応する１以上の対象者ごとのイベント情報を一覧できる画面である。イベント一覧画面は、例えば、１以上の対象者ごとに、当該対象者の１以上のイベント情報の全部または一部を含む。イベント一覧画面は、具体的には、例えば、１以上の対象者ごとに、次に到来するイベントに関するイベント情報を含むことは好適である。
【００４７】
また、受信部１２は、例えば、振込者端末２から振込情報出力指示を受信してもよい。振込情報出力指示とは、格納部１１に格納されている１または２以上の振込情報を出力する指示である。さらに、受信部１２は、例えば、振込者端末２から返答情報出力指示を受信してもよい。返答情報出力指示とは、格納部１１に格納されている１または２以上の返答情報を出力する指示である。
【００４８】
振込指示受信部１２１は、振込者端末２から振込指示を受信する。本実施の形態における振込指示とは、振込者が、一の対象者に対し、当該対象者の一のイベントに関連して振り込みを行う旨の指示である。振込指示は、例えば、イベント特定情報と、振込者識別子と、対象者識別子とを有する。イベント特定情報とは、イベント情報を特定する情報である。イベント特定情報は、例えば、イベントＩＤ、イベント名などであるが、イベント情報を特定し得る情報であれば何でもよい。なお、イベントＩＤは、例えば、“ＡＡ，３番目”等でもよいし、イベント名は、例えば、“ＡＡちゃんの６歳の誕生日”等でも構わない。
【００４９】
また、振込指示は、通常、金額情報も有する。金額情報とは、振り込みの金額を示す情報である。振込の金額は、例えば、振込者指定の金額であるが、定額でもよい。振込指示が有する金額情報は、例えば、対象者の属性またはイベントの種類のうち１以上の情報に応じた金額を示すことは好適である。対象者の属性とは、例えば、６歳等の年齢、中３等の学年でもよい。イベントの種類とは、例えば、進学、新年、誕生日等でもよい。金額情報は、具体的には、例えば、対象者が６歳かつイベントが進学である場合は２千円、対象者が中３かつイベントが卒業である場合は５千円等であってもよい。
【００５０】
返答情報受信部１２２は、対象者端末３から返答情報を受信する。返答情報とは、対象者が、振込者から振込関連情報の通知を受けたことに対して、当該振込者に返答する情報である。
【００５１】
振込関連情報とは、対象者に対し、振込処理が行われたこと、または振込処理が行われることを通知するための情報である。振込関連情報は、例えば、振込処理が行われたこと等を示す文字列でもよいし、振り込みを示す記号やお金の絵文字などでも構わない。また、振込関連情報は、例えば、振込者識別子、金額情報、または時期情報のうち１種類以上の情報を含むことは好適である。さらに、振込関連情報は、例えば、イベント特定情報または種類情報をも含むことは、より好適である。
【００５２】
具体的には、振込関連情報は、例えば、「おばあちゃんから成人式のお祝いを五千円振り込んだよ」や「お年玉をあげるね」といった文字列でもよい。
【００５３】
返答情報は、例えば、「ありがとう」等の文字列（以下、返答文と記す場合がある）であるが、記号や絵文字などを含んでもよい。また、返答情報は、タッチパネル等の入力デバイスで入力された返答文等に加えて、またはこれに代えて、例えば、カメラで撮影された写真を含むことは好適である。写真は、例えば、当該対象者の顔写真が好適であるが、家族の集合写真等、何でもよい。また、写真は、例えば、当該イベントの時期に撮影された写真であることは、振込者が対象者の近況を知ることができる点で、より好適である。
【００５４】
さらに、返答情報は、通常、対象者識別子とイベント特定情報とを有する。ただし、対象者識別子またはイベント特定情報のうち１種類以上の情報は、例えば、文字列等で構成された返答情報と対に送信または受信されてもよい。
【００５５】
返答情報受信部１２２は、通常、後述する振込関連情報通知部１４２による対象者への振込関連情報の通知に応じて、当該対象者の対象者端末３から上記のような返答情報を受信する。
【００５６】
処理部１３は、各種の処理を行う。各種の処理とは、例えば、振込処理部１３１、振込情報蓄積部１３２、推奨情報取得部１３３、推奨金額決定手段１３３１、推奨情報取得手段１３３２、および返答情報蓄積部１３４などの処理である。なお、各種の処理には、フローチャートで説明する各種の判別なども含まれる。
【００５７】
なお、処理部１３は、例えば、画面構成情報を保持しており、受信部１２がイベント一覧出力指示を受信した場合に、対象者情報格納部１１１の２以上の対象者情報、および保持している画面構成情報等を用いて、イベント一覧画面を構成してもよい。画面構成情報とは、イベント一覧画面を構成するための情報である。画面構成情報は、例えば、文字情報または画像情報のうち１種類以上の情報と、レイアウト情報とを有していてもよい。レイアウト情報とは、画面内における文字情報等の配置を示す情報である。
【００５８】
また、処理部１３は、例えば、返答情報受信部１２２が返答情報を受信したことに応じて、対象者情報格納部１１１に格納されている１以上の対象者情報のうち、当該返答情報に対応する対象者情報が有する写真を、受信された返答情報に含まれる写真に更新する処理を行ってもよい。
【００５９】
振込処理部１３１は、振込指示受信部１２１が振込指示を受信した場合に、振込処理を行う。振込処理とは、振込に関連する処理である。本実施の形態における振込処理は、通常、振込指示が有する振込者識別子で識別される振込者の口座から、振込指示が有する対象者識別子で識別される対象者への口座に、振込指示に対応する金額情報が示す金額を振り込むための処理である。
【００６０】
振込処理は、振込者の銀行口座から対象者への電子マネーの送金でもよい。電子マネーは対象者端末３内に蓄積してもよいし、電子マネーのサーバ上で残高を管理するようにしてもよい。
【００６１】
また、振込処理は、対象者が振込者やイベントを認識できる態様でおこなってもよい。振込処理部１３１は、仮想口座に関する情報（振込者・イベント毎に、例えば、おばあちゃんからの小学校入学、おじいちゃんからの七五三など）が認識できる態様で振り込むようにしてもよい。具体的には、振込処理が対象者の銀行口座への振込である場合、振込処理部１３１は、振込時に仮想口座を生成してもよい。振込処理が電子マネーの送金である場合、振込処理部１３１は、電子マネーを振込者やイベントが認識できる態様で管理できるようにしてもよい。
【００６２】
対象者（孫）が銀行口座から出金するとき、振込処理部１３１は、出金先の仮想口座に基づいて、振込者（おばあちゃん）とイベント情報（小学校入学）を把握することができるようにしてもよい。電子マネーを使用するときも同様に振込者とイベント情報を把握することができるようにしてもよい。
【００６３】
また、対象者（孫）が銀行口座から出金するとき、振込処理装置１は銀行サーバからその旨通知を受け、対象者端末３に後述する返答情報を送信してもよい。同様に、対象者（孫）が対象者端末３から電子マネーを使用するときも、対象者端末３で返答情報を作成するようにしてもよい。
【００６４】
振込処理は、例えば、銀行のサーバへの情報の送信でもよい。送信される情報には、例えば、振込者の口座情報、対象者の口座情報、および金額情報などが含まれていてもよい。口座情報とは、口座に関する情報である。口座情報は、例えば、氏名、および口座番号などを含む。または、振込処理は、振込を支援する処理であるといってもよい。かかる振込処理は、例えば、振り込み書の印刷などでもよく、その種類は問わない。
【００６５】
なお、振り込み自体は、振込処理に含まれると考えても、含まれないと考えてもよい。また、振込指示に対応する金額情報とは、例えば、振込指示が有する金額情報であるが、予め決められた定額の情報でもよい。
【００６６】
振込処理部１３１は、例えば、振込指示受信部１２１が振込指示を受信したことに応じて、上記のような振込処理を行ってもよい。なお、振込指示の受信に応じて振込処理を行うことは、通常、振込指示の受信後、直ちに、または可及的速やかに振込処理を行うことである。
【００６７】
ただし、振込処理部１３１は、例えば、振込指示受信部１２１が振込指示を受信し、かつ後述する振込関連情報通知部１４２が振込関連情報を送信し、かつ返答情報受信部１２２が返答情報を受信した後に振込処理を行うことは好適である。これにより、対象者から振込者への返答を促進できる。ただし、振込処理部１３１が振込処理を行うタイミングは問わない。
【００６８】
振込情報蓄積部１３２は、振込処理部１３１による振込処理に応じて、振込情報を格納部１１に蓄積する。振込情報とは、当該振込処理に関する情報である。振込情報は、例えば、金額情報でもよいし、対象者識別子と金額情報との組でもよい。
【００６９】
詳しくは、振込情報蓄積部１３２は、例えば、振込処理部１３１による振込処理に応じて、当該振込処理に関する振込情報を、振込指示受信部１２１により受信された振込指示が有するイベント特定情報により特定されるイベント情報に対応付けて、格納部１１に蓄積してもよい。
【００７０】
推奨情報取得部１３３は、１または２以上のイベント情報に基づいて、推奨情報を取得する。推奨情報とは、振込者に対し、１以上の各対象者の１以上の各イベントに関連した行動を推奨する情報である。イベントに関連した行動とは、例えば、進学やお正月等のイベントに関して、お祝いやお年玉等の振り込みを行うことでもよいし、または、かかる振り込みに備えて、積み立てを行うことでもよい。
【００７１】
推奨情報は、例えば、振込者に対し、対象者の口座に振り込むことを推奨する旨の情報であってもよい。すなわち、推奨情報取得部１３３は、振込者情報格納部１１２の振込者情報が有する対象者識別子と対になるイベント情報に基づいて、当該対象者識別子で識別される対象者の口座に振り込むことを推奨する旨の推奨情報を取得してもよい。
【００７２】
具体的には、推奨情報取得部１３３は、例えば、２以上の対象者ごとの１以上のイベント情報から、各対象者の次のイベントの時期（例えば、２０１８年１月１日等）を特定する。そして、推奨情報取得部１３３は、例えば、ＭＰＵの内蔵時計またはＮＴＰサーバ等から取得された日時情報に含まれる現在時刻が、特定した各対象者の次のイベントの時期に一致したこと、または、かかる時期から予め決められた期間（例えば、２日等）前になったことに応じて、各対象者への振り込み（例えば、お年玉の振り込み）を奨める推奨情報を取得する。なお、振り込みを勧める旨の推奨情報は、例えば、１または２以上の対象者識別子に対応する文字列と、種類情報に対応する文字列とを含む。
【００７３】
推奨情報取得部１３３は、例えば、一の対象者の１以上のイベント情報の中に、内蔵時計等から取得された日時情報の日付に対応する時期情報を含むイベント情報が存在する場合に、当該イベント情報のイベントに関して当該対象者への振り込みを勧める旨の推奨情報を取得してもよい。一例として、現在の日付が２０１７年１０月５日である場合に、推奨情報取得部１３３は、対象者ＡＡに対応する対象者情報１（図５参照：後述）が有する３以上のイベント情報のうち、当該日付に対応する時期情報“２０１７年１０月５日，６歳”を有する１番目のイベント情報から種類情報“誕生日”を取得し、取得した種類情報“誕生日”と対象者識別子“ＡＡ”と用いて、推奨情報“ＡＡちゃんに誕生日のお祝いを振り込むことをお勧めします”を取得してもよい。
【００７４】
また、推奨情報取得部１３３は、例えば、２以上の対象者の間で共通の又は対応するイベントが存在する場合に、当該共通のイベントに関して当該２以上の各対象者への振り込みを勧める旨の推奨情報を取得してもよい。一例として、推奨情報取得部１３３は、対象者ＡＡの対象者情報１に含まれる２番目のイベント情報が“お年玉，２０１８年１月１日”であり、対象者ＢＢの対象者情報２（図５参照）に含まれるイベント情報が“お年玉，２０１８年”であることから、対象者ＡＡおよびＢＢの間で共通の又は対応するイベント“２０１８年のお年玉”が存在すると判断する。そして、現在の日付が２０１８年１月１日またはその一定期間前（前日等）である場合に、推奨情報取得部１３３は、推奨情報“ＡＡちゃんとＢＢさんにお年玉を振り込むことをお勧めします”を取得する。
【００７５】
または、推奨情報は、例えば、振込者に、振り込みのための積み立てを行うことを推奨する旨の情報でもよい。すなわち、推奨情報取得部１３３は、例えば、１以上のイベント情報に基づいて、振込者に積み立てを行うことを推奨する旨の推奨情報を取得する。なお、１以上のイベント情報とは、１または２以上の対象者ごとの１以上のイベント情報の集合でもよいし、１以上の対象者のうち一の対象者の１以上のイベント情報でもよい。
【００７６】
具体的には、推奨情報取得部１３３は、例えば、一の対象者の１以上のイベント情報から、当該対象者の次のイベント（例えば、進学等）を特定し、特定したイベントの時期（例えば、２０１８年春等）に対し、予め決められた期間（例えば、２ヶ月等）前に、当該対象者への振り込みに備えた積み立てを奨める推奨情報を取得する。
【００７７】
または、推奨情報取得部１３３は、例えば、２以上の対象者ごとの１以上のイベント情報から、当該２以上の対象者に共通のイベント（例えば、お正月等）を特定し、当該共通のイベントの時期（例えば、翌年１月１日）に対し、予め決められた期間（例えば、２ヶ月等）前に、当該２以上の対象者への振り込みに備えた積み立てを奨める推奨情報を取得する。
【００７８】
または、例えば、対象者情報に生年月日または年齢または学年が含まれており、推奨情報取得部１３３は、生年月日等から特定されるイベント（例えば、成人式等）の時期（例えば、翌年１月１０日頃等）に対し、予め決められた期間（例えば、５ヶ月等）前に、当該対象者の当該特定されたイベントに関する振込に備えた積み立てを奨める推奨情報を取得する。
【００７９】
積み立てを勧める旨の推奨情報は、例えば、対象者識別子に対応する１または２以上の文字列と、推奨金額に対応する文字列とを含む。推奨金額とは、推奨される積み立ての金額を示す情報である。推奨金額は、例えば、月々の積立額を示す情報でもよいし、総積立額を示す情報でもよい。総積立額とは、月々積立額を予め決められた期間（積立期間）に渡って合計した額である。または、推奨金額は、例えば、月々積立額と積立期間とを示す情報でも構わない。
【００８０】
推奨金額決定手段１３３１は、１以上のイベント情報に基づいて、積み立ての推奨金額を決定する。推奨金額決定手段１３３１は、例えば、種類情報と推奨金額との対応情報を保持しており、イベント情報に含まれる種類情報が“誕生日”であれば、推奨金額を“五百円”に決定し、種類情報が“入学式”であれば、推奨金額を“千円”に決定する。
【００８１】
また、推奨金額決定手段１３３１は、例えば、時期情報と推奨金額との対応情報を保持しており、イベント情報に含まれる時期情報が“６歳”であれば、推奨金額を“千円”に決定し、時期情報が“中３”であれば、推奨金額を“二千円”に決定する。
【００８２】
あるいは、推奨金額決定手段１３３１は、例えば、種類情報および時期情報の組と推奨金額との対応情報を保持しており、イベント情報に含まれる種類情報および時期情報の組が“（進学，６歳）”であれば、推奨金額を“三千円”に決定し、種類情報および時期情報の組が“（卒業，中３）”であれば、推奨金額を“五千円”に決定してもよい。
【００８３】
または、推奨金額決定手段１３３１は、例えば、種類情報および時期情報の組と総積立額情報との対応（例えば、“進学，６歳”と“￥３０００”との対、“卒業，中３”と“￥５０００”との対など）を示す対応情報を保持していてもよい。推奨金額決定手段１３３１は、予め決められた条件（例えば、“一の対象者への振り込みを行ったこと”等）を満たした場合に、一の対象者（例えば、対象者ＡＡ）の１以上のイベント情報から一のイベント情報（例えば、対象者ＡＡの３番目のイベント情報：図５参照）を選択し、内蔵時計等が示す現在の日付（例えば、２０１８年１月１日）から、当該イベント情報に含まれる時期情報から特定される時期（例えば、２０１８年４月１日）までの期間（積立期間：例えば、３ヶ月）を算出する。また、推奨金額決定手段１３３１は、保持している対応情報を用いて、当該イベント情報が有する種類情報および時期情報の組（例えば、“進学，６歳”）に対応する総積立総額情報“￥３０００”を取得し、取得した総積立総額情報を、算出した積立期間で除算することにより、月々積立額を示す推奨金額（例えば、“￥１０００”）を決定してもよい。
【００８４】
推奨情報取得手段１３３２は、推奨金額決定手段１３３１が決定した推奨金額を示す推奨金額情報を有する推奨情報を取得する。
【００８５】
返答情報蓄積部１３４は、返答情報受信部１２２が受信した返答情報をイベント情報に対応付けて蓄積する。詳しくは、返答情報蓄積部１３４は、例えば、振込関連情報通知部１４２が振込関連情報を送信したことに応じて、返答情報受信部１２２が受信した返答情報を、当該返答情報が有するイベント特定情報で特定されるイベント情報に対応付けて、格納部１１に蓄積する。
【００８６】
送信部１４は、各種の情報を送信する。各種の情報とは、例えば、推奨情報、振込関連情報、および返答情報などである。送信とは、通常、振込者端末２または対象者端末３への送信である。ただし、送信は、例えば、メールまたはショートメッセージでの通知やウェブページへの掲載などのための、メールサーバやウェブサーバ等の外部サーバへの送信も含むと考えてよい。
【００８７】
なお、送信部１４は、例えば、受信部１２がイベント一覧出力指示を受信したことに応じて、処理部１３が構成したイベント一覧画面を振込者端末２に送信してもよい。
【００８８】
また、送信部１４は、例えば、受信部１２が振込情報出力指示を受信したことに応じて、格納部１１に格納されている１または２以上の振込情報（以下、振込情報群と記す場合がある）を振込者端末２に送信してもよい。
【００８９】
さらに、受信部１２は、例えば、受信部１２が返答情報出力指示を受信したことに応じて、格納部１１に格納されている１または２以上の返答情報（返答情報群）を振込者端末２に送信してもよい。
【００９０】
推奨情報通知部１４１は、推奨情報取得部１３３が取得した推奨情報を振込者に通知する。なお、推奨情報取得部１３３が取得した推奨情報とは、例えば、推奨情報取得手段１３３２が取得した推奨情報であり、推奨金額決定手段１３３１が決定した推奨金額情報を有する推奨情報である場合も含む。また、振込者への通知とは、例えば、振込者端末２への送信でもよいし、メールまたはショートメッセージでの通知、またはウェブページへの掲載などでもよい。
【００９１】
詳しくは、推奨情報通知部１４１は、例えば、推奨情報取得部１３３が取得した推奨情報を、振込者情報格納部１１２の振込者情報が有する振込者連絡先情報を用いて、当該振込者情報が有する振込者識別子で識別される振込者に通知する。
【００９２】
振込関連情報通知部１４２は、振込指示が受信された場合に、当該振込指示が有する対象者識別子と対になる対象者連絡先情報を用いて、当該対象者識別子で識別される対象者に振込関連情報を通知する。
【００９３】
より特定的には、振込関連情報通知部１４２は、例えば、振込指示受信部１２１によって振込指示が受信されたことに応じて、対象者情報格納部１１１の１以上の対象者情報のうち、当該振込指示が有する対象者識別子と対になる対象者情報を取得し、その取得した対象者情報が有する対象者連絡先情報を用いて、当該対象者識別子で識別される対象者に、振込処理が行われたこと、または振込処理が行われることを示す振込関連情報を通知する。
【００９４】
返答情報通知部１４３は、振込者連絡先情報を用いて、対象者からの返答情報を振込者に通知する。詳しくは、返答情報通知部１４３は、例えば、返答情報受信部１２２が対象者端末３から返答情報を受信したことに応じて、振込者情報格納部１１２から振込者連絡先情報を取得し、取得した振込者連絡先情報を用いて、受信された返答情報を振込者に通知してもよい。
【００９５】
振込者端末２を構成する振込者格納部２１は、各種の情報を格納し得る。各種の情報とは、例えば、振込者識別子、１以上の対象者識別子などである。なお、振込者格納部２１には、例えば、返答情報も格納されてよい。
【００９６】
振込者受信部２２は、振込処理装置１から返答情報を受信する。なお、振込者受信部２２は、例えば、振込処理装置１から、返答情報以外の情報を受信してもよいし、振込処理装置１以外の装置からの情報も受信し得る。
【００９７】
振込者受信部２２は、返答情報を、通常、当該返答情報の通知元である対象者を識別する対象者識別子と対に受信する。なお、対に受信することは、返答情報が対象者識別子を有する場合も含む。ただし、対象者が一人だけの場合、対象者識別子は無くてもよい。
【００９８】
なお、振込者受信部２２は、例えば、イベント一覧画面、処理情報群、または返答情報群も、振込処理装置１から受信してよい。
【００９９】
振込者出力部２３は、振込者受信部２２が受信した返答情報等の情報を出力する。また、振込者出力部２３は、例えば、振込者格納部２１の情報や、振込者処理部２６の処理結果など、受信された情報以外の情報を出力してもよい。
【０１００】
振込者出力部２３は、返答情報等の情報を、通常、ディスプレイやスピーカ等の出力デバイスを介して出力するが、例えば、振込者格納部２１に蓄積したり、他の装置に送信したり、他のプログラムに引渡したりしてもよく、その出力の態様は問わない。
【０１０１】
なお、振込者出力部２３は、例えば、振込者受信部２２が受信した又は振込者格納部２１に格納されているイベント一覧画面、振込情報群、または返答情報群なども出力してよい。こうした情報は、振込者が的確な振り込みを行うのに役立つ。
【０１０２】
振込者受付部２４は、振込指示を受け付ける。なお、対象者受付部３４は、振込指示以外の指示を受け付けてもよいし、例えば、振込者情報など、指示以外の情報も受け付け可能である。また、受け付けとは、通常、キーボードやタッチパネル等の入力デバイスで入力された情報の受け付けであるが、例えば、ネットワークや通信回線等を介して送信された情報の受信、ディスクや半導体メモリなどの記録媒体から読み出された情報の受け付けなども含んでよい。
【０１０３】
なお、振込者受付部２４は、例えば、前述したイベント一覧出力指示、振込情報出力指示、または返答情報出力指示等も受け付けてよい。
【０１０４】
振込者送信部２５は、振込者受付部２４が受け付けた振込指示等の情報を振込処理装置１に送信する。振込者送信部２５は、通常、振込者受付部２４が受け付けた振込指示を、振込者格納部２１の振込者識別子と対に、振込処理装置１に送信する。なお、対に送信することは、振込指示が振込者識別子を有する場合も含む。
【０１０５】
なお、振込者送信部２５は、例えば、振込者受付部２４が受け付けたイベント一覧出力指示、処理情報出力指示、または返答情報出力指示等も、振込処理装置１に送信してよい。
【０１０６】
振込者処理部２６は、各種の処理を行う。各種の処理とは、例えば、振込者受付部２４が振込指示等の情報を受け付けたか否かの判別などであってもよい。
【０１０７】
なお、振込者処理部２６は、例えば、振込者受信部２２が受信した返答情報を、対象者識別子に対応付けて、振込者格納部２１に蓄積してもよい。また、振込者処理部２６は、例えば、受信されたイベント一覧画面、振込情報群、または返答情報群等も、振込者格納部２１に蓄積して構わない。
【０１０８】
対象者端末３を構成する対象者格納部３１は、各種の情報を格納し得る。各種の情報とは、例えば、対象者識別子、振込者識別子、写真などである。写真は、特に、例えば、振り込みの対象であるイベントの時期に、当該対象者をカメラ等で撮影した顔写真であれば好適である。
【０１０９】
対象者受信部３２は、振込処理装置１から振込関連情報を受信する。なお、対象者受信部３２は、例えば、振込処理装置１から振込関連情報以外の情報を受信してもよいし、他の装置からの情報受信も行い得る。
【０１１０】
対象者出力部３３は、対象者受信部３２が受信した振込関連情報等の情報を出力する。なお、対象者出力部３３は、例えば、対象者格納部３１の情報や、対象者処理部３６の処理結果など、受信された情報以外の情報を出力してもよい。
【０１１１】
対象者出力部３３は、受信された振込関連情報等の情報を、通常、ディスプレイやスピーカ等の出力デバイスを介して出力するが、例えば、対象者格納部３１に蓄積したり、他の装置に送信したり、他のプログラムに引き渡したりしてもよく、その出力の態様は問わない。
【０１１２】
対象者受付部３４は、返答情報を受け付ける。なお、対象者受付部３４は、返答情報以外の情報も受け付けてよい。対象者受付部３４は、通常、キーボードやタッチパネル等の入力デバイスを介して、文字列の態様の返答情報（返答文）を受け付けるが、例えば、対象者格納部３１から読み出された写真、または読み出されるべき写真を識別する写真識別子を受け付けてもよく、その受け付けの態様は問わない。
【０１１３】
対象者送信部３５は、対象者受付部３４が受け付けた返答情報を振込処理装置１に送信する。なお、送信される返答情報は、受け付けられた返答情報と同じでなくてもよい。例えば、対象者受付部３４が返答文と写真識別子とを受け付けたことに応じて、対象者送信部３５は、受け付けられた返答文と、受け付けられた写真識別子で識別される写真とを含む返答情報を、振込処理装置１に送信してもよい。また、対象者送信部３５は、例えば、返答情報以外の情報を振込処理装置１に送信してもよいし、他の装置への情報送信も行い得る。
【０１１４】
対象者処理部３６は、各種の処理を行う。各種の処理とは、例えば、対象者受付部３４が返答情報等の情報を受け付けたか否かの判別などである。
【０１１５】
格納部１１、対象者情報格納部１１１、振込者情報格納部１１２、振込者格納部２１、および対象者格納部３１は、例えば、ハードディスクやフラッシュメモリといった不揮発性の記録媒体が好適であるが、ＲＡＭなど揮発性の記録媒体でも実現可能である。
【０１１６】
格納部１１等に情報が記憶される過程は問わない。例えば、記録媒体を介して情報が格納部１１等で記憶されるようになってもよく、ネットワークや通信回線等を介して送信された情報が格納部１１等で記憶されるようになってもよく、あるいは、入力デバイスを介して入力された情報が格納部１１等で記憶されるようになってもよい。なお、入力デバイスは、例えば、キーボード、マウス、タッチパネル等、何でもよい。
【０１１７】
受信部１２、振込指示受信部１２１、返答情報受信部１２２、振込者受信部２２、および対象者受信部３２は、通常、有線または無線の通信手段（例えば、ＮＩＣ(Network interface controller)やモデム等の通信モジュール）で実現されるが、放送を受信する手段（例えば、放送受信モジュール）で実現されてもよい。
【０１１８】
処理部１３、振込処理部１３１、振込情報蓄積部１３２、推奨情報取得部１３３、返答情報蓄積部１３４、推奨金額決定手段１３３１、推奨情報取得手段１３３２、振込者処理部２６、および対象者処理部３６は、通常、ＭＰＵやメモリ等から実現され得る。処理部１３等の処理手順は、通常、ソフトウェアで実現され、当該ソフトウェアはＲＯＭ等の記録媒体に記録されている。ただし、処理手順は、ハードウェア（専用回路）で実現してもよい。
【０１１９】
送信部１４、推奨情報通知部１４１、振込関連情報通知部１４２、返答情報通知部１４３、振込者送信部２５、および対象者送信部３５は、通常、有線または無線の通信手段で実現されるが、放送手段（例えば、放送モジュール）で実現されてもよい。
【０１２０】
振込者出力部２３、および対象者出力部３３は、ディスプレイやスピーカ等の出力デバイスを含むと考えても含まないと考えてもよい。振込者出力部２３等は、出力デバイスのドライバーソフトによって、または出力デバイスとそのドライバーソフトとで実現され得る。
【０１２１】
振込者受付部２４、および対象者受付部３４は、入力デバイスを含むと考えても、含まないと考えてもよい。振込者受付部２４等は、入力デバイスのドライバーソフトによって、または入力デバイスとそのドライバーソフトとで実現され得る。
【０１２２】
次に、情報システムの動作について、図２〜図４のフローチャートを用いて説明する。図２は、振込処理装置１の動作例を説明するフローチャートである。
【０１２３】
（ステップＳ２０１）処理部１３は、振込指示受信部１２１が振込者端末２から振込指示を受信したか否かを判別する。振込指示受信部１２１が振込者端末２から振込指示を受信した場合はステップＳ２０２に進み、受信してない場合はステップＳ２０３に進む。
【０１２４】
（ステップＳ２０２）振込関連情報通知部１４２は、ステップＳ２０１で受信された振込指示が有する対象者識別子と対になる対象者連絡先情報を用いて、当該対象者識別子で識別される対象者に、振込処理が行われる旨の振込関連情報を通知する。その後、ステップＳ２０１に戻る。
【０１２５】
（ステップＳ２０３）処理部１３は、返答情報受信部１２２が対象者端末３から返答情報を受信したか否かを判別する。返答情報受信部１２２が対象者端末３から返答情報を受信した場合はステップＳ２０４に進み、受信してない場合はステップＳ２０７に進む。
【０１２６】
（ステップＳ２０４）振込処理部１３１は、振込処理を行う。振込処理部１３１は、例えば、ステップＳ２０１で受信された振込指示が有する振込者識別子で識別される振込者の口座から、当該振込指示が有する対象者識別子で識別される対象者への口座に、当該振込指示が有する金額情報が示す金額を振り込んでもよい。
【０１２７】
（ステップＳ２０５）振込情報蓄積部１３２は、ステップＳ２０４で行われた振込処理に関する振込情報を、ステップＳ２０１で受信された振込指示が有するイベント特定情報により特定されるイベント情報に対応付けて、格納部１１に蓄積する。
【０１２８】
（ステップＳ２０６）返答情報通知部１４３は、ステップＳ０２３で受信された返答情報を、振込者情報格納部１１２の振込者情報が有する振込者連絡先情報を用いて、振込者に通知する。その後、ステップＳ２０１に戻る。
【０１２９】
（ステップＳ２０７）処理部１３は、対象者情報格納部１１１の１以上の対象者情報ごとに、当該対象者情報が有する１または２以上のイベント情報に基づいて、当該対象者への振り込み又は積み立てを推奨する推奨情報の通知を行うか否かを判断する。推奨情報の通知を行う場合はステップＳ２０４に進み、行わない場合はステップＳ２０１に戻る。
【０１３０】
（ステップＳ２０８）推奨情報取得部１３３は、通知を行うと判断した対象者情報が有する１以上のイベント情報に基づいて、推奨情報を取得する。詳しくは、推奨情報取得部１３３は、例えば、かかる１以上のイベント情報に基づいて、振込者に対し、対象者の口座に振り込むことを推奨する推奨情報を取得してもよい。または、推奨情報取得部１３３を構成する推奨金額決定手段１３３１が、かかる１以上のイベント情報に基づいて、積み立ての推奨金額を決定し、推奨情報取得手段１３３２が、決定された推奨金額を示す推奨金額情報を有する推奨情報を取得しても構わない。
【０１３１】
（ステップＳ２０９）推奨情報通知部１４１は、ステップＳ２０８で取得された推奨情報を、振込者情報格納部１１２の振込者情報が有する振込者連絡先情報を用いて、当該振込者情報が有する振込者識別子で識別される振込者に通知する。その後、ステップＳ２０１に戻る。
【０１３２】
なお、振込者の数が２人以上の場合は、以上のような処理が、２以上の振込者識別子ごとに実行される。
【０１３３】
また、図２のフローチャートにおいては、ステップＳ２０１で振込指示を受信した後、まず、ステップＳ２０２で振込処理が行われる旨の振込関連情報を通知し、ステップＳ２０３で通知に対する返答情報が受信された場合に、ステップＳ２０４で振込処理を実行しているが、ステップＳ２０１で振込指示を受信した後、速やかに振込処理を実行して、振込処理が行われた旨の振込関連情報を通知してもよい。
【０１３４】
さらに、図２のフローチャートにおいて、振込処理装置１の電源オンやプログラムの起動に応じて処理が開始し、電源オフや処理終了の割り込みにより処理は終了する。ただし、処理の開始または終了のトリガは問わない。
【０１３５】
図３は、振込者端末２の動作例を説明するフローチャートである。
【０１３６】
（ステップＳ３０１）振込者処理部２６は、振込者受付部２４が振込指示を受け付けたか否かを判別する。振込者受付部２４は、例えば、タッチパネル等の入力デバイスを介して、イベント特定情報と振込者識別子と対象者識別子と金額情報とを有する振込指示を受け付けてもよい。振込者受付部２４が振込指示を受け付けた場合はステップＳ３０２に進み、受け付けていない場合はステップＳ３０３に進む。
【０１３７】
（ステップＳ３０２）振込者送信部２５は、振込者受付部２４が受け付けた振込指示を振込処理装置１に送信する。その後、ステップＳ３０１に戻る。
【０１３８】
（ステップＳ３０３）振込者処理部２６は、返答情報の通知を受けたか否かを判別する。振込者処理部２６は、例えば、振込者受信部２２が、振込処理装置１から、ステップＳ３０１で受け付けられた振込指示が有する対象者識別子を含む返答情報を受信した場合に、返答情報の通知を受けたと判別してもよい。返答情報の通知を受けた場合はステップＳ３０４に進み、受けていない場合はステップＳ３０５に進む。
【０１３９】
（ステップＳ３０４）振込者出力部２３は、ステップＳ３０３で受信された返答情報を、ディスプレイ等の出力デバイスを介して出力する。その後、ステップＳ３０１に戻る。
【０１４０】
（ステップＳ３０５）振込者処理部２６は、振込者受信部２２が振込処理装置１から推奨情報を受信したか否かを判別する。振込者受信部２２は、振込処理装置１から、例えば、対象者の口座に振り込むことを推奨する旨の推奨情報を受信してもよいし、または、振り込みのための積み立てを行うことを推奨する旨の推奨情報を受信してもよい。振込者受信部２２が振込処理装置１から推奨情報を受信した場合はステップＳ３０６に進み、受信していない場合はステップＳ３０６に進む。
【０１４１】
（ステップＳ３０６）振込者出力部２３は、ステップＳ３０５で受信された推奨情報を、ディスプレイ等の出力デバイスを介して出力する。その後、ステップＳ３０１に戻る。
【０１４２】
なお、図３のフローチャートにおいて、振込者端末２の電源オンやプログラムの起動に応じて処理が開始し、電源オフや処理終了の割り込みにより処理は終了する。ただし、処理の開始または終了のトリガは問わない。
【０１４３】
図４は、対象者端末３の動作例を説明するフローチャートである。
【０１４４】
（ステップＳ４０１）対象者処理部３６は、対象者受信部３２が振込処理装置１から振込関連情報を受信したか否かを判別する。対象者受信部３２が振込処理装置１から振込関連情報を受信した場合はステップＳ４０２に進み、受信していない場合はステップＳ４０３に進む。
【０１４５】
（ステップＳ４０２）対象者出力部３３は、ステップＳ４０１で受信された振込関連情報を、ディスプレイ等の出力デバイスを介して出力する。その後、ステップＳ４０１に戻る。
【０１４６】
（ステップＳ４０３）対象者処理部３６は、対象者受付部３４が返答情報を受け付けたか否かを判別する。対象者受付部３４は、例えば、タッチパネル等の入力デバイスを介して、返答文や写真などを有する返答情報を受け付けてもよい。対象者受付部３４が返答情報を受け付けた場合はステップＳ４０４に進み、受け付けていない場合はステップＳ４０１に戻る。
【０１４７】
（ステップＳ４０４）対象者送信部３５は、ステップＳ４０３で受け付けられた返答情報を振込処理装置１に送信する。対象者送信部３５は、例えば、受け付けられた返答文等と、対象者格納部３１の対象者識別子と、ステップＳ４０１で受信された振込関連情報が有するイベント特定情報とを有する返答情報を、振込処理装置１に送信してもよい。その後、ステップＳ４０１に戻る。
【０１４８】
なお、図４のフローチャートにおいて、対象者端末３の電源オンやプログラムの起動に応じて処理が開始し、電源オフや処理終了の割り込みにより処理は終了する。ただし、処理の開始または終了のトリガは問わない。
【０１４９】
以下、情報システムの具体的な動作例について説明する。なお、以下の説明は、種々の変更が可能であり、本発明を何ら限定するものではない。
【０１５０】
本例の情報システムは、振込処理装置１、振込者端末２、および２以上（例えば、３つ）の対象者端末３を備える。振込処理装置１は、ある銀行のサーバである。振込者端末２は、振込者Ｘの携帯端末であり、３つの対象者端末３のうち１つは、対象者ＡＡの家のＰＣである。３つの対象者端末３のうち他の１つは、対象者ＢＢの携帯端末であり、その他の１つは、対象者ＣＣの携帯端末である。
【０１５１】
振込者Ｘは、３人の対象者ＡＡ〜ＣＣの祖母である。振込者Ｘならびに２人の対象者ＡＡおよびＢＢの各々は、上記銀行に口座を有している。また、象者ＣＣは、別の銀行に口座を有しており、当該別の銀行のサーバは、ネットワーク等を介して、振込処理装置１と通信可能である。
【０１５２】
振込処理装置１を構成する対象者情報格納部１１１には、例えば、図５に示すような２以上の対象者情報が格納されている。対象者情報は、対象者識別子と、１以上のイベント情報と、対象者連絡先情報とを有する。格納される２以上の対象者情報には、ＩＤ（例えば、“１”，“２”等）が対応付けられる。
【０１５３】
例えば、ＩＤ“１”に対応する対象者情報（以下、対象者情報１と記す場合がある）は、対象者識別子“ＡＡ”と、３以上のイベント情報“誕生日，２０１７年１０月５日，６歳”，“お年玉，２０１８年１月１日”，および“進学，２０１８年春，小学校入学”等と、連絡先記情報“ａａ＠・・・ｎｅ．ｊｐ”とを有する。
【０１５４】
また、ＩＤ“２”に対応する対象者情報（対象者情報２）は、対象者識別子“ＢＢ”と、１以上のイベント情報“お年玉，２０１８年”等と、連絡先記情報“０９０・・・”とを有する。同様に、対象者情報３は、対象者識別子“ＣＣ”と、イベント情報“成人式，Ｎｕｌｌ”等と、連絡先記情報“ｈｔｔｐ：／／ｃｃ・・・”とを有する。なお、“Ｎｕｌｌ”は、当該情報の不存在（ここでは、イベント情報に時期情報が含まれていないこと）を意味する情報である。
【０１５５】
なお、各対象者情報は、当該対象者の写真（図示しない）を含んでいてもよい。
【０１５６】
振込者情報格納部１１２には、例えば、振込者識別子“Ｘ”と、振込者連絡先情報“ｘ＠・・・ｎｅ．ｊｐ”と、３以上の対象者識別子“ＡＡ”，“ＢＢ”および“ＣＣ”等とを有する振込者情報が格納されている。
【０１５７】
格納部１１には、条件情報が格納されている。条件情報とは、後述する第一条件または第二条件のうち１以上の条件に関する情報である。
【０１５８】
現在の日時は、２０１７年１０月５日午前９時であるとする。振込処理装置１において、処理部１３は、例えば、ＭＰＵの内蔵時計またはＮＴＰサーバ等から取得された日時情報に含まれる現在時刻が、予め決められた時刻（例えば、午前９時）である場合に、対象者情報格納部１１１に格納されている３つの対象者情報１〜３ごとに、当該対象者情報が有する１以上の各イベント情報と、取得された日時情報に含まれる日付とを用いて、推奨情報の通知を行うか否かを判断する。
【０１５９】
推奨情報には、振り込みを勧めるものと、積み立てを勧めるものとの２種類があり、処理部１３は、格納部１１の条件情報を用いて、イベント情報から特定される日付と、取得された日時情報に含まれる日付とが、予め決められた第一条件を満たす場合、振り込みを勧める推奨情報の通知を行うと判断し、予め決められた第二条件を満たす場合には、積み立てを勧める推奨情報の通知を行うと判断する。
【０１６０】
第一条件は、例えば、イベント情報から特定される日時と、取得された日時情報に含まれる日付とが一致することであるが、かかる２つの日付の間の差分が第一閾値（例えば、２日）以下または未満となったことでもよい。他方、第二条件は、例えば、イベント情報から特定される日時と、取得された日時情報に含まれる日付との差分が、第二閾値（例えば、２ヶ月）となったことである。
【０１６１】
ここでは、対象者情報１が有する３つのイベント情報のうち１番目のイベント情報に含まれる“２０１７年１０月５日”が、取得された日時情報に含まれる上記日付と一致することから、処理部１３は、対象者情報１が有する３つのイベント情報のうち１番目のイベント情報に関し、第一条件を満たしており、振り込みを勧める推奨情報の通知を行うと判断する。
【０１６２】
推奨情報取得部１３３は、対象者情報１の１番目のイベント情報に基づいて、対象者ＡＡの６歳の誕生日のお祝いを振り込むよう推奨する推奨情報を取得する。推奨情報通知部１４１は、こうして取得された推奨情報を、振込者情報格納部１１２の振込者情報が有する振込者連絡先情報“ｘ＠・・・ｎｅ．ｊｐ”をあて先として、メールの態様で送信することにより、振込者Ｘに通知する。
【０１６３】
振込者端末２において、振込者受信部２２が上記推奨情報を受信し、振込者出力部２３は、受信された推奨情報を、ディスプレイ等の出力デバイスを介して出力する。これにより、振込者端末２のディスプレイに、例えば、図６に示すような画面が表示される。
【０１６４】
図６は、振込者端末２によって出力される画面の一例を示す図である。この画面は、文字列“今日はＡＡちゃんの誕生日です。お祝いの振り込みをお勧めします”と、文字列「振込金額」が対応付いた入力欄と、コインの画像とを有する。
【０１６５】
振込者は、図６の画面に対し、タッチパネル等の入力デバイスを操作して、例えば、金額情報“￥１０００”を有する振込指示を入力する。具体的には、振込者は、画面内の入力欄に“１０００”を入力した後、コインの画像を操作してもよい。操作は、例えば、コインの画像に対するフリック操作またはスライド操作等でもよい。
【０１６６】
振込者端末２において、振込者受付部２４が上記振込指示を受け付け、振込者送信部２５は、受信された推奨情報が有するイベント特定情報、振込者識別子、および対象者識別子と、こうして受け付けられた金額情報とを有する振込指示を、振込処理装置１に送信する。
【０１６７】
振込処理装置１において、振込指示受信部１２１が上記振込指示を受信し、振込関連情報通知部１４２は、受信された振込指示が有する対象者識別子“ＡＡ”と対になる対象者連絡先情報“ａａ＠・・・ｎｅ．ｊｐ”を用いて、当該対象者識別子“ＡＡ”で識別される対象者ＡＡに、振込処理が行われる旨の振込関連情報を通知する。通知される振込関連情報は、例えば、文字列“ＡＡちゃん、お誕生日おめでとう。お祝いを振り込むよ”などでもよい。
【０１６８】
対象者ＡＡ宅の対象者端末３において、対象者受信部３２が上記振込関連情報を受信し、対象者出力部３３は、受信された振込関連情報を、ディスプレイ等の出力デバイスを介して出力する。これにより、対象者ＡＡ宅の対象者端末３のディスプレイに、例えば、図７に示すような画面が表示される。
【０１６９】
図７は、対象者端末３によって出力される画面の一例を示す図である。この画面は、文字列“ＡＡちゃん、６さいのおたんじょうびおめでとう。おばあちゃんからおいわいをおくるね”と、コインの画像と、文字列「返答」が対応付いた入力欄と、送信ボタンとを有する。
【０１７０】
対象者ＡＡまたはその保護者は、図７の画面に対し、キーボードやマウス等の入力デバイスを操作して、例えば、文字列“おばあちゃん、ありがとう”と、対象者ＡＡの顔写真とを有する返答情報を入力欄に入力した後、送信ボタンを操作してもよい。なお、対象者端末３で、画面にはコインの画像が表示され、返答は送信ボタンの押下によらず、コインの画像に対するフリック操作またはスライド操作等で行われてもよい。
【０１７１】
対象者端末３において、対象者受付部３４が上記返答情報を受け付け、対象者送信部３５は、受け付けられた返答情報を振込処理装置１に送信する。
【０１７２】
振込処理装置１において、返答情報受信部１２２が上記返答情報を受信し、振込処理部１３１は、先に受信された振込指示に対応する振込処理を行う。これによって、受信された振込指示が有する振込者識別子“Ｘ”で識別される振込者Ｘの口座から、当該振込指示が有する対象者識別子“ＡＡ”で識別される対象者ＡＡへの口座に、当該振込指示が有する金額情報“￥１０００”が示す金額が振り込まれる。
【０１７３】
振込情報蓄積部１３２は、こうして行われた振込処理に関する振込情報“２０１７年１０月５日，￥１０００”を、受信された振込指示が有するイベント特定情報（例えば、イベントＩＤ“ＡＡ，３番目”、またはイベント名“ＡＡちゃんの６歳の誕生日”等）により特定されるイベント情報に対応付けて、格納部１１に蓄積する。これにより、格納部１１には、図５に示した対象者情報１の３番目のイベント情報に対応付けて、振込情報“２０１７年１０月５日，￥１０００”が格納される結果となる。
【０１７４】
返答情報通知部１４３は、受信された返答情報を、振込者情報格納部１１２の振込者情報が有する振込者連絡先情報“ｘ＠・・・ｎｅ．ｊｐ”をあて先として、メールの態様で送信することにより、振込者Ｘに通知する。
【０１７５】
振込者端末２において、振込者受信部２２が上記返答情報を受信し、振込者出力部２３は、受信された返答情報を、ディスプレイ等の出力デバイスを介して出力する。これにより、振込者端末２のディスプレイに、例えば、図８に示すような画面が表示される。
【０１７６】
図８は、振込者端末２によって出力される画面の他の一例を示す図である。この画面は、文字列“おばあちゃん、ありがとう”と、対象者ＡＡの顔写真とを有する。
【０１７７】
その後、内蔵時計等の示す日時情報が２０１７年１１月１日午前９時になったとする。この日時情報に含まれる日付は、対象者情報１が有する３つのイベント情報のうち２番目のイベント情報に含まれる“２０１８年１月１日”の２ヶ月前であり、かつ、対象者情報２が有するイベント情報“お年玉，２０１８年から特定される“２０１８年１月１日”の２ヶ月前でもあることから、処理部１３は、対象者情報１の２番目のイベント情報、および対象者情報２が有するイベント情報の各々に関し、第二条件を満たしており、積み立てを勧める推奨情報の通知を行うと判断する。
【０１７８】
推奨情報取得部１３３は、年齢とお年玉の金額との対応を示す対応情報を保持しており、対象者情報１の１番目のイベント情報に対し、そこに含まれる“６歳”に基づいて、対象者ＡＡのお年玉の金額“￥１０００”を取得する。他方、対象者情報２のイベント情報からは、年齢を特定できないため、推奨情報取得部１３３は、デフォルトの金額“￥２０００”を取得する。
【０１７９】
次に、推奨情報取得部１３３を構成する推奨金額決定手段１３３１が、こうして取得された２つの金額の合計額“￥３０００”を計算し、さらに、当該合計額を、第二条件を構成する“２カ月前”の“２”で除算し、その除算結果である“￥１５００”を、月々の積み立ての推奨金額に決定する。推奨金額決定手段１３３１は、二人の対象者ＡＡおよびＢＢへのお年玉の振り込みに備えて、月々１５００円ずつ積み立てるよう推奨する推奨情報を取得する。
【０１８０】
推奨情報通知部１４１は、こうして取得された推奨情報を、振込者情報格納部１１２の振込者情報が有する振込者連絡先情報“ｘ＠・・・ｎｅ．ｊｐ”をあて先として、メールの態様で送信することにより、振込者Ｘに通知する。
【０１８１】
振込者端末２において、振込者受信部２２が上記推奨情報を受信し、振込者出力部２３は、受信された推奨情報を、ディスプレイ等の出力デバイスを介して出力する。これにより、振込者端末２のディスプレイに、例えば、図９に示すような画面が表示される。
【０１８２】
図９は、振込者端末２によって出力される画面のその他の一例を示す図である。この画面は、文字列“ＡＡちゃんとＢＢさんへのお年玉として、月々１５００円ずつ積み立てることをお勧めします”を有する。
【０１８３】
振込者Ｘは、１１月と１２月に各１５００円の積み立てを行うことで、２０１８年の正月に、対象者ＡＡに対して１０００円、対象者ＢＢに対しては２０００円のお年玉を振り込むことができる。
【０１８４】
なお、振込者Ｘから対象者ＣＣへの振り込みについては、図５の対象者情報３を用いて、次のイベントである“成人式”の時期が“１月１０日頃”に特定されるので、内蔵時計等からの日時情報の日付が、例えば、当該時期の２日前となった場合に、“もうすぐＣＣさんの成人式です。お祝いの振り込みをお勧めします”といった推奨情報が、振込者端末２のディスプレイに表示されてもよい。
【０１８５】
なお、例えば、別の振込者Ｙが、当該振込者に対応する２以上の対象者ごとのイベントを確認するべく、タッチパネル等の入力デバイスを介して、イベント一覧出力指示を、当該振込者Ｙの振込者端末２に入力した場合の動作は、次のようになる。
【０１８６】
振込者Ｙの振込者端末２において、振込者受付部２４が上記イベント一覧出力指示を受け付け、振込者送信部２５は、受け付けられたイベント一覧出力指示を、振込者識別子“Ｙ”と対に、振込処理装置１に送信する。
【０１８７】
振込処理装置１において、振込指示受信部１２１が上記イベント一覧出力指示を受信し、処理部１３は、対象者情報格納部１１１の対象者情報であり、振込者識別子“Ｙ”に対応付いた２以上の対象者情報と、格納部１１に格納されている各対象者の写真と、保持している画面構成情報とを用いて、イベント一覧画面を構成する。送信部１４は、こうして構成されたイベント一覧画面を、振込者Ｙの振込者端末２に送信する。
【０１８８】
振込者Ｙの振込者端末２において、振込者受信部２２が上記イベント一覧画面を受信し、振込者出力部２３は、受信されたイベント一覧画面をディスプレイ等の出力デバイスを介して出力する。これにより、振込者Ｙの振込者端末２のディスプレイに、例えば、図１０に示すような画面が表示されてもよい。
【０１８９】
図１０は、振込者Ｙの振込者端末２によって出力されるイベント一覧画面の一例を示す図である。このイベント一覧画面は、２以上（本例では４人）の対象者ごとに、次に到来するイベントのイベント情報を有する。イベント情報は、写真、対象者識別子（本例では、「アキラ」等の名前）、イベント情報（本例では、「入学式」等の種類情報、および「２０１８．４．０８」等の時期情報）と、アイコンとを有する。なお、イベント一覧画面内のアイコンは、例えば、振込者受付部２４が対象者識別子と対にアイコンの選択を受け付けることによって、または対象者受付部３４がアイコンの選択を受け付けることによって、２以上の対象者ごとに設定可能であってもよい。また、時期を過ぎたイベント情報は、例えば、処理部１３によって、イベント一覧画面から削除され、当該対象者の次のイベント情報に更新されることは好適である。
【０１９０】
これにより、振込者Ｙは、２以上の対象者ごとの次のイベントが一目でわかるので、２以上の各対象者に対し、当該対象者の１以上のイベントごとに的確な振り込みを行える。
【０１９１】
以上、本実施の形態によれば、対象者情報格納部１１１に、対象者を識別する対象者識別子と対象者のイベントに関する１以上のイベント情報とを有する１以上の対象者情報が格納され、振込処理装置１は、イベント情報を特定するイベント特定情報と、振込者を識別する振込者識別子と、振り込みの対象者を識別する対象者識別子とを有する振込指示を受信し、振込指示が有する振込者識別子で識別される振込者の口座から、振込指示が有する対象者識別子で識別される対象者への口座に、振込指示に対応する金額情報が示す金額を振り込むための振込処理を行い、振込処理に応じて、振込指示が有するイベント特定情報により特定されるイベント情報に対応付けて、振込処理に関する振込情報を蓄積することにより、振込者が、１以上の各対象者に対し、当該対象者の１以上のイベントごとに的確な振り込みを行うことを支援する仕組みを提供できる。
【０１９２】
また、振込者情報格納部１１２に、振込者識別子と、振込者識別子により識別される振込者への連絡先を示す振込者連絡先情報と、振込者に関連する対象者を識別する１以上の対象者識別子とを有する１以上の振込者情報が格納され、振込処理装置１は、振込者情報格納部１１２の振込者情報が有する対象者識別子と対になるイベント情報に基づいて、対象者の口座に振り込むことを推奨する旨の推奨情報を取得し、振込者情報が有する振込者連絡先情報を用いて、推奨情報を振込者に通知することにより、振込者に対し、１以上の各対象者の１以上のイベントごとに振り込みを推奨することで、振込者が的確に振り込みを行うことを支援できる。
【０１９３】
また、振込処理装置１は、１または２以上のイベント情報に基づいて、振込者に積み立てを行うことを推奨する旨の推奨情報を取得する。こうして、振込者に対し、１以上の各対象者の１以上のイベントごとに積み立てを推奨することで、振込処理装置１は、振込者が振り込みを無理なく行うことを支援できる。
【０１９４】
また、振込処理装置１は、１または２以上のイベント情報に基づいて、積み立ての推奨金額を決定し、推奨金額を示す推奨金額情報を有する推奨情報を取得する。こうして、振込者に対し、１以上の各対象者の１以上のイベントごとに金額を決定し、当該金額の積み立てを推奨することで、振込処理装置１は、振込者が当該金額の振り込みを無理なく行うことを支援できる。
【０１９５】
また、対象者情報は、対象者への連絡先を示す対象者連絡先情報を有し、振込処理装置１は、振込指示が受信された場合に、対象者識別子と対になる対象者連絡先情報を用いて、対象者に振込処理が行われたこと、または振込処理が行われることを示す振込関連情報を通知することにより、振込者からの振り込みを、対象者に知覚させることができる。
【０１９６】
また、振込処理装置１は、対象者の対象者端末３から振込結果情報に対する返答である返答情報を受信し、振込者情報が有する振込者連絡先情報を用いて、返答情報を振込者に通知することにより、対象者が振り込みを知覚したことを、振込者に知らせることができる。
【０１９７】
また、返答情報は、撮影された写真も含み、振込処理装置１は、返答情報をイベント情報に対応付けて蓄積する。これにより、振り込みを受けた対象者は、返答と併せて、例えば、その振り込みに対応するイベントの時期に撮影された写真を、振込者に見せることができる。
【０１９８】
また、振込処理装置１は、返答情報を受信した後に振込処理を行うことで、対象者から振込者への返答を促進することができる。
【０１９９】
さらに、本実施の形態における処理は、ソフトウェアで実現してもよい。そして、このソフトウェアをソフトウェアダウンロード等により配布してもよい。また、このソフトウェアをＣＤ−ＲＯＭなどの記録媒体に記録して流布してもよい。なお、このことは、本明細書における他の実施の形態においても該当する。なお、本実施の形態における情報処理装置を実現するソフトウェアは、例えば、以下のようなプログラムであってもよい。
【０２００】
つまり、コンピュータがアクセス可能な記録媒体は、対象者を識別する対象者識別子と当該対象者のイベントに関する１以上のイベント情報とを有する１以上の対象者情報が格納される対象者情報格納部１１１を具備し、このプログラムは、前記コンピュータを、イベント情報を特定するイベント特定情報と、振込者を識別する振込者識別子と、振り込みの対象者を識別する対象者識別子とを有する振込指示を受信する振込指示受信部１２１と、前記振込指示が有する振込者識別子で識別される振込者の口座から、前記振込指示が有する対象者識別子で識別される対象者への口座に、前記振込指示に対応する金額情報が示す金額を振り込むための振込処理を行う振込処理部１３１と、前記振込処理に応じて、前記振込指示が有するイベント特定情報により特定されるイベント情報に対応付けて、前記振込処理に関する振込情報を蓄積する振込情報蓄積部１３２として機能させるためのプログラムである。
【０２０１】
図１０は、本実施の形態におけるプログラムを実行して、振込処理装置１等を実現するコンピュータシステム９００の外観図である。本実施の形態は、コンピュータハードウェアおよびその上で実行されるコンピュータプログラムによって実現され得る。図１０において、コンピュータシステム９００は、ディスクドライブ９０５を含むコンピュータ９０１と、キーボード９０２と、マウス９０３と、ディスプレイ９０４とを備える。なお、キーボード９０２やマウス９０３やディスプレイ９０４をも含むシステム全体をコンピュータと呼んでもよい。
【０２０２】
図１１は、コンピュータシステム９００の内部構成の一例を示す図である。図１１において、コンピュータ９０１は、ディスクドライブ９０５に加えて、ＭＰＵ９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、およびデータを記憶するストレージ９１４と、ＭＰＵ９１１、ＲＯＭ９１２等を相互に接続するバス９１５と、外部ネットワークや内部ネットワーク等のネットワークへの接続を提供するネットワークカード９１６と、を備える。ストレージ９１４は、例えば、ハードディスク、ＳＳＤ、フラッシュメモリなどである。
【０２０３】
コンピュータシステム９００に、振込処理装置１の機能を実行させるプログラムは、例えば、ＤＶＤ、ＣＤ−ＲＯＭ等のディスク９２１に記憶されて、ディスクドライブ９０５に挿入され、ストレージ９１４に転送されてもよい。これに代えて、そのプログラムは、ネットワークを介してコンピュータ９０１に送信され、ストレージ９１４に記憶されてもよい。プログラムは、実行の際にＲＡＭ９１３にロードされる。なお、プログラムは、ディスク９２１、またはネットワークから直接、ロードされてもよい。また、ディスク９２１に代えて他の着脱可能な記録媒体（例えば、ＤＶＤやメモリカード等）を介して、プログラムがコンピュータシステム９００に読み込まれてもよい。
【０２０４】
プログラムは、コンピュータの詳細を示す９０１に、振込処理装置１の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０２０５】
なお、上述したコンピュータシステム９００は、サーバまたは据え置き型のＰＣであるが、振込者端末２と対象者端末３は、例えば、タブレット端末やスマートフォンやノートＰＣといった携帯端末で実現されてもよい。この場合、例えば、キーボード９０２およびマウス９０３はタッチパネルに、ディスクドライブ９０５はメモリカードスロットに、ディスク９２１はメモリカードに、それぞれ置き換えられることが望ましい。ただし、以上は例示であり、振込処理装置１を実現するコンピュータのハードウェア構成は問わない。
【０２０６】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０２０７】
また、上記プログラムを実行するコンピュータは、単数であってもよく、複数であってもよい。すなわち、集中処理を行ってもよく、あるいは分散処理を行ってもよい。
【０２０８】
また、上記各実施の形態において、一の装置に存在する２以上の通信手段（報送信部１４、受信部１２など）は、物理的に一の媒体で実現されてもよいことは言うまでもない。
【０２０９】
また、上記各実施の形態において、各処理（各機能）は、単一の装置（システム）によって集中処理されることによって実現されてもよく、あるいは、複数の装置によって分散処理されることによって実現されてもよい。
【０２１０】
本発明は、以上の実施の形態に限定されることなく、種々の変更が可能であり、それらも本発明の範囲内に包含されるものであることは言うまでもない。
【産業上の利用可能性】
【０２１１】
以上のように、本発明にかかる振込処理装置は、振込者が、１以上の各対象者に対し、当該対象者の１以上のイベントごとに的確な振り込みを行うことを支援するという効果を有し、振込処理装置等として有用である。
【符号の説明】
【０２１２】
１  振込処理装置
２  振込者端末
３  対象者端末
１１  格納部
１２  受信部
１３  処理部
１４  送信部
２１  振込者格納部
２２  振込者受信部
２３  振込者出力部
２４  振込者受付部
２５  振込者送信部
２６  振込者処理部
３１  対象者格納部
３２  対象者受信部
３３  対象者出力部
３４  対象者受付部
３５  対象者送信部
３６  対象者処理部
１１１  対象者情報格納部
１１２  振込者情報格納部
１２１  振込指示受信部
１２２  返答情報受信部
１３１  振込処理部
１３２  振込情報蓄積部
１３３  推奨情報取得部
１３４  返答情報蓄積部
１４１  推奨情報通知部
１４２  振込関連情報通知部
１４３  返答情報通知部
１３３１  推奨金額決定手段
１３３２  推奨情報取得手段
【図１】
2019114063.tif 000003
【図２】
2019114063.tif 000004
【図３】
2019114063.tif 000005
【図４】
2019114063.tif 000006
【図５】
2019114063.tif 000007
【図６】
2019114063.tif 000008
【図７】
2019114063.tif 000009
【図８】
2019114063.tif 000010
【図９】
2019114063.tif 000011
【図１０】
2019114063.tif 000012
【図１１】
2019114063.tif 000013